(57)【要約】【課題】引戸の移動速度が所定速度以上になったときに引戸を停止することにより、操作者の意に反して引戸が高速で開閉することにより操作者がバランスを崩すことを防ぐことができるようにした引戸の停止装置を提供すること。【解決手段】引戸Ｄの移動速度が所定速度以上になったときに、レールＲ２に対して弾性ブレーキ部材１が押圧され、この状態が保持されるようにすることにより、引戸Ｄを停止するようにする。【選択図】図１
2006336264.tif 000002
【特許請求の範囲】
【請求項１】
引戸の移動速度が所定速度以上になったとき、レールに対して弾性ブレーキ部材が押圧され、この状態が保持されるようにすることにより、引戸を停止するようにしたことを特徴とする引戸の停止装置。
【請求項２】
前記弾性ブレーキ部材が、引戸の戸車と共に回転する断面形状が略長円形又は略長方形の回転軸に嵌合する、断面形状が略長方形又は略長方形の軸孔を有し、該軸孔の長手方向と平行に略半円形に２分割された弾性ブレーキ片からなり、該２分割された両方の弾性ブレーキ片の一方の端部を揺動軸を介して、他方の端部を引張ばねを介して、それぞれ連結したことを特徴とする請求項１記載の引戸の停止装置。
【請求項３】
断面形状が略長方形又は略長方形の軸孔に、該軸孔に対して回転軸が相対的に所定角度回転したときに嵌合して回転軸がそれ以上相対的に回転しないようにする係止部を形成したことを特徴とする請求項２記載の引戸の停止装置。
【請求項４】
回転軸を引戸の戸車の回転軸に直結して回転するようにしたことを特徴とする請求項１、２又は３記載の引戸の停止装置。
【請求項５】
回転軸を引戸の戸車と伝動機構を介して回転するようにするとともに、弾性ブレーキ部材を引戸の戸車と略同一平面内に配置し、弾性ブレーキ部材が押圧されるレールを引戸の戸車用レールと共用するようにしたことを特徴とする請求項１、２又は３記載の引戸の停止装置。
【発明の詳細な説明】
【技術分野】
【０００１】
本発明は、引戸の停止装置に関し、特に、引戸の移動速度が所定速度以上になったときに、引戸を停止するようにした引戸の停止装置に関するものである。
【背景技術】
【０００２】
近年、傾斜レールやばねの付勢力等を利用することにより、電気的な駆動力を用いることなく、自動的に閉戸するようにした吊り戸式の引戸装置が、老健施設や病院において多数採用されている。
ところで、この吊り戸式の引戸装置は、比較的小さな力で引戸の開閉ができるように構成されているため、力の弱い老人や病人でも軽快に引戸の開閉ができるという利点を有する反面、自立することが困難な老人や病人等の操作者が引戸の開閉方向に体重をかけた場合に、操作者の意に反して引戸が高速で開閉することにより、操作者がバランスを崩しやすいという問題があった。
そして、この問題は、特に、引戸を開放状態で保持するストッパ等の保持機構を配設した引戸装置（例えば、特許文献１参照）において、開放状態にある引戸の保持機構を解除するために引戸に閉じ方向の力を加えた場合等に起こりやすかった。
なお、傾斜レールやばねの付勢力等を利用することにより、自動的に閉戸するようにした吊り戸式の引戸装置において、引戸に閉じ方向の移動速度を低下させる機構が提案されている（例えば、特許文献２参照）が、この機構は単に引戸の移動速度を低下させるものにすぎないため、一旦バランスを崩した操作者を支える機能を有するものではなかった。
【特許文献１】特開平８−４２２３０号公報
【特許文献２】実公昭５４−４２９７号公報
【発明の開示】
【発明が解決しようとする課題】
【０００３】
本発明は、上記従来の引戸装置の有する問題点に鑑み、引戸の移動速度が所定速度以上になったときに引戸を停止することにより、操作者の意に反して引戸が高速で開閉することにより操作者がバランスを崩すことを防ぐことができるようにした引戸の停止装置を提供することを目的とする。
【課題を解決するための手段】
【０００４】
上記目的を達成するため、本発明の引戸の停止装置は、引戸の移動速度が所定速度以上になったとき、レールに対して弾性ブレーキ部材が押圧され、この状態が保持されるようにすることにより、引戸を停止するようにしたことを特徴とする。
【０００５】
この場合において、前記弾性ブレーキ部材が、引戸の戸車と共に回転する断面形状が略長円形又は略長方形の回転軸に嵌合する、断面形状が略長方形又は略長方形の軸孔を有し、該軸孔の長手方向と平行に略半円形に２分割された弾性ブレーキ片からなり、該２分割された両方の弾性ブレーキ片の一方の端部を揺動軸を介して、他方の端部を引張ばねを介して、それぞれ連結することができる。
【０００６】
また、断面形状が略長方形又は略長方形の軸孔に、該軸孔に対して回転軸が相対的に所定角度回転したときに嵌合して回転軸がそれ以上相対的に回転しないようにする係止部を形成することができる。
【０００７】
また、回転軸を引戸の戸車の回転軸に直結して回転するようにすることができる。
【０００８】
また、回転軸を引戸の戸車と伝動機構を介して回転するようにするとともに、弾性ブレーキ部材を引戸の戸車と略同一平面内に配置し、弾性ブレーキ部材が押圧されるレールを引戸の戸車用レールと共用するようにすることができる。
【発明の効果】
【０００９】
本発明の引戸の停止装置によれば、引戸の移動速度が所定速度以上になったとき、レールに対して弾性ブレーキ部材が押圧され、この状態が保持されるようにすることにより、引戸を停止するようにしたことから、操作者の意に反して引戸が高速で開閉することにより操作者がバランスを崩しかけても、停止した引戸が操作者を支える機能を有することとなり、操作者がバランスを崩すことを防ぐことができる。
【００１０】
また、前記弾性ブレーキ部材が、引戸の戸車と共に回転する断面形状が略長円形又は略長方形の回転軸に嵌合する、断面形状が略長方形又は略長方形の軸孔を有し、該軸孔の長手方向と平行に略半円形に２分割された弾性ブレーキ片からなり、該２分割された両方の弾性ブレーキ片の一方の端部を揺動軸を介して、他方の端部を引張ばねを介して、それぞれ連結するようにすることにより、引戸の戸車の近傍位置に組み込んで、弾性ブレーキ部材を含む引戸の停止装置をコンパクトに構成することができる。
【００１１】
また、断面形状が略長方形又は略長方形の軸孔に、該軸孔に対して回転軸が相対的に所定角度回転したときに嵌合して回転軸がそれ以上相対的に回転しないようにする係止部を形成することにより、レールに対する弾性ブレーキ部材の押圧状態を保持することができ、引戸を確実に停止することができる。
【００１２】
また、回転軸を引戸の戸車の回転軸に直結して回転するようにすることにより、弾性ブレーキ部材を含む引戸の停止装置の機構を簡易に構成することができる。
【００１３】
また、回転軸を引戸の戸車と伝動機構を介して回転するようにするとともに、弾性ブレーキ部材を引戸の戸車と略同一平面内に配置し、弾性ブレーキ部材が押圧されるレールを引戸の戸車用レールと共用するようにすることにより、レールを簡易に構成することができるとともに、既設の引戸装置にも容易に適用することができる。
【発明を実施するための最良の形態】
【００１４】
以下、本発明の引戸の停止装置の実施の形態を、図面に基づいて説明する。
【実施例１】
【００１５】
図１〜図４に、本発明の引戸の停止装置を吊り戸式の引戸装置に適用した第１実施例を示す。
この吊り戸式の引戸装置は、引戸Ｄの上部に敷設したレール部材Ｒに２条のレールＲ１、Ｒ２を形成し、一方のレールＲ１上を走行する戸車Ｗに、ブラケットＢを介して、引戸Ｄを吊り下げるように支持するようにしている。
【００１６】
そして、この吊り戸式の引戸装置は、引戸Ｄの移動速度が所定速度以上になったときに、もう一方のレールＲ２に対して弾性ブレーキ部材１が押圧され、この状態が保持されるようにすることにより、引戸Ｄを停止するように構成されている。
【００１７】
弾性ブレーキ部材１は、より具体的には、引戸Ｄの戸車Ｗの回転軸に直結することに戸車Ｗと共に回転する断面形状が略長円形（長手方向の側面を略直線状に形成したものを含む）又は略長方形（短手方向の側面に丸みを形成したものを含む）の回転軸２に嵌合する、断面形状が略長方形又は略長方形の軸孔１１を有し、この軸孔１１の長手方向と平行に略半円形に２分割された弾性ブレーキ片１０ａ、１０ｂからなり、このようにして２分割された両方の弾性ブレーキ片１０ａ、１０ｂの一方の端部を揺動軸１２を介して、他方の端部を引張ばね１３を介して、それぞれ連結するようにしている。
そして、弾性ブレーキ片１０ａ、１０ｂの外周面には、それぞれ、ゴム又は合成樹脂製の弾性材料からなるブレーキシュー１４ａ、１４ｂを取り付けるようにしている。
また、回転軸２の先端には、弾性ブレーキ部材１の抜け止め３を形成するようにする。
【００１８】
この場合において、回転軸２の断面形状と、この回転軸２に嵌合する軸孔１１の断面形状とは、略同形状に形成するようにするが、軸孔１１に、この軸孔１１に対して回転軸２が相対的に所定角度回転したときに嵌合して回転軸２がそれ以上相対的に回転しないようにする係止部１１ａ、１１ｂを形成することが好ましい。
なお、本実施例においては、回転軸２がそれ以上相対的に左回転しないようにする係止部１１ａと、右回転しないようにする係止部１１ｂとを形成するようにしているが、特に、引戸Ｄの閉じ方向の移動に対処するためには、一方の係止部を省略することができる。
【００１９】
次に、この引戸の停止装置の作用について説明する。
引戸の停止装置の弾性ブレーキ部材１は、通常は、図４（ａ）に示すように、２分割された弾性ブレーキ片１０ａ、１０ｂが、引張ばね１３の付勢力により閉じた状態で、引戸の戸車Ｗと共に回転する回転軸２に軸孔１１が嵌合した状態で回転する。
このとき、図１に示すように、弾性ブレーキ部材１の弾性ブレーキ片１０ａ、１０ｂのブレーキシュー１４ａ、１４ｂは、レールＲ２と摺接しない状態に維持されるようにする。
一方、引戸Ｄの移動速度が所定速度以上になると、回転軸２から伝わる回転力（遠心力）の作用によって、図４（ｂ）に示すように、２分割された弾性ブレーキ片１０ａ、１０ｂが、引張ばね１３の付勢力に抗して、揺動軸１２を中心に開き、同時に軸孔１１も開く。軸孔１１に嵌合している回転軸２は、断面形状が略長円形であるから挟持状態から開放されて弾性ブレーキ片１０ａ、１０ｂとは相対回転する。
遠心力作用で開かれた弾性ブレーキ片１０ａ、１０ｂは引張ばね１３の縮み作用で閉じようとするが、回転軸２の長径で弾性ブレーキ片１０ａ、１０ｂが開いたままの状態に保持される。
なお、回転軸２には戸車Ｗを介して引戸Ｄの自重がかかっており、弾性ブレーキ片１０ａ、１０ｂは、回転軸２に対し少し上方にずれて偏心状態となったまま回転しようとしてレールＲ２との間でブレーキ作用を奏する。
ところで、図４（ｃ）に示すように、２分割された弾性ブレーキ片１０ａ、１０ｂが揺動軸１２を中心に開いた状態で回転すると、弾性ブレーキ片１０ｂ（１０ａ）が、閉じた状態のときより、高さ方向に寸法Ｈだけ突出することになり、これにより、弾性ブレーキ部材１の弾性ブレーキ片１０ｂのブレーキシュー１４ｂは、レールＲ２と摺接するとともに、レールＲ２に対して押圧され、この状態が保持されることから、その摩擦力により引戸Ｄを制動、停止する作用を奏することになる。
【００２０】
この場合、図３に示すように軸孔１１に、この軸孔１１に対して回転軸２が相対的に所定角度回転したときに嵌合して回転軸２がそれ以上相対的に回転しないようにする係止部１１ａ（１１ｂ）を形成することにより、レールＲ２に対する弾性ブレーキ部材１の弾性ブレーキ片１０ｂのブレーキシュー１４ｂの押圧状態を確実に保持することができる。
【００２１】
そして、停止した引戸Ｄを再度移動させる場合には、図３に示す例では引戸Ｄを先の移動方向と逆方向に少し移動させることにより、上記保持状態を解除（これにより、弾性ブレーキ部材１は、図４（ａ）に示す通常状態となる。）することができる。
【００２２】
ここで、２分割された弾性ブレーキ片１０ａ、１０ｂが揺動軸１２を中心に開くようになる引戸Ｄの移動速度は、引張ばね１３の付勢力に依存することから、引張ばね１３のばね定数を適宜選定することによって、停止装置が起動する引戸Ｄの移動速度を任意の速度に設定することができる。
【００２３】
なお、図１及び図４（ｂ）に示すＢ１は、ブラケットＢから延設された阻止片で、この阻止片Ｂ１は、弾性ブレーキ片１０ａ、１０ｂが開き変形して回動しようとするのを阻止して、弾性ブレーキ片１０ａ、１０ｂの制動性を一層有効に機能させるためのものである。
【実施例２】
【００２４】
図５に、本発明の引戸の停止装置を吊り戸式の引戸装置に適用した第２実施例を示す。
【００２５】
この吊り戸式の引戸装置は、上記第１実施例の回転軸２を引戸Ｄの戸車Ｗの回転軸に直結することに代えて、回転軸２を引戸Ｄの戸車Ｗと、歯車４ａ、４ｂからなる伝動機構４を介して回転するようにするとともに、弾性ブレーキ部材１を引戸Ｄの戸車Ｗと略同一平面内に配置し、レール部材Ｒにより弾性ブレーキ部材１が押圧されるレールを引戸Ｄの戸車用のレールと共用するようにしたものである。
これにより、レールを簡易に構成することができるとともに、本発明の引戸の停止装置を既設の引戸装置に容易に適用することができるものとなる。
ここで、伝動機構４は、引戸Ｄの戸車Ｗの回転を回転軸２に伝達できるものであれば、歯車４ａ、４ｂに限定されるものでない。
なお、本実施例のその他の構成及び作用は、上記第１実施例と同様である。
【００２６】
以上、本発明の引戸の停止装置について、本発明の引戸の停止装置を吊り戸式の引戸装置に適用した複数の実施例に基づいて説明したが、本発明は上記実施例に記載した構成に限定されるものではなく、例えば、床レール式の引戸装置にも適用できる等、その趣旨を逸脱しない範囲において適宜その構成を変更することができるものである。
【産業上の利用可能性】
【００２７】
本発明の引戸の停止装置は、引戸の移動速度が所定速度以上になったときに引戸を停止することにより、操作者の意に反して引戸が高速で開閉することにより操作者がバランスを崩すことを防ぐことができることから、老健施設や病院において多数採用されている吊り戸式の引戸装置に好適に用いることができるほか、広く一般の引戸にも用いることができる。
【図面の簡単な説明】
【００２８】
【図１】本発明の引戸の停止装置を吊り戸式の引戸装置に適用した第１実施例を示す要部の側面図である。
【図２】（ａ）は側面図、（ｂ）は正面図である。
【図３】引戸の停止装置の弾性ブレーキ部材を示し、（ａ）は正面図、（ｂ）は側面図である。
【図４】引戸の停止装置の弾性ブレーキ部材を示し、（ａ）は弾性ブレーキ片が閉じた状態、（ｂ）は開いた状態、（ｃ）は引戸を制動、停止している状態である。
【図５】本発明の引戸の停止装置を吊り戸式の引戸装置に適用した第２実施例を示す要部の正面図である。
【符号の説明】
【００２９】
１    弾性ブレーキ部材
１０ａ  弾性ブレーキ片
１０ｂ  弾性ブレーキ片
１１  軸孔
１１ａ  係止部
１１ｂ  係止部
１２  揺動軸
１３  引張ばね
１４ａ  ブレーキシュー
１４ｂ  ブレーキシュー
２    回転軸
３    抜け止め
４    伝動機構
４ａ  歯車
４ｂ  歯車
Ｂ    ブラケット
Ｄ    引戸
Ｒ    レール部材
Ｒ１  戸車用レール
Ｒ２  弾性ブレーキ部材用レール
Ｗ    戸車
【図１】
2006336264.tif 000003
【図２】
2006336264.tif 000004
【図３】
2006336264.tif 000005
【図４】
2006336264.tif 000006
【図５】
2006336264.tif 000007